(57)【要約】【課題】  バスに接続されている装置に異常が発生した場合、異常が発生した装置が、バスに接続されている他の装置に与える影響を軽減する制御装置を提供する。【解決手段】  本発明の制御装置は、第２の電源装置から電力の供給を受ける第２の電子装置が接続されているバスと、第１の電子装置とを接続し、切断指示を受信すると前記バスと前記第１の電子装置との間の接続を切断する第１のスイッチ手段と、前記第２の電源装置の供給電圧が所定値以下であることを表す異常信号を受信した場合、前記第１のスイッチ手段に前記切断指示を送信する第１の切断指示送信手段とを含み、前記第２の電源装置とは異なる第１の電源装置から電力の供給を受ける。【選択図】      図８
2014164488.tif 000002
【特許請求の範囲】
【請求項１】
第２の電源装置から電力の供給を受ける第２の電子装置が接続されているバスと、第１の電子装置とを接続し、切断指示を受信すると前記バスと前記第１の電子装置との間の接続を切断する第１のスイッチ手段と、
前記第２の電源装置の供給電圧が所定値以下であることを表す異常信号を受信した場合、前記第１のスイッチ手段に前記切断指示を送信する第１の切断指示送信手段と
を含み、前記第２の電源装置とは異なる第１の電源装置から電力の供給を受ける制御装置。
【請求項２】
前記第１の電子装置と、前記第１の電源装置と、請求項１に記載の制御装置とを含み、前記第１の電源装置は、さらに、前記第１のコントローラに電力を供給する情報処理装置。
【請求項３】
前記第２の電子装置と、
前記第２の電源装置と、
前記バスと前記第２の電子装置とを接続し、前記切断指示を受信すると前記バスと前記第２の電子装置との間の接続を切断する第２のスイッチ手段と、前記第１の電源装置の供給電圧が所定値以下であることを表す前記異常信号を受信した場合、前記第２のスイッチ手段に前記切断指示を送信する第１の切断指示送信手段とを含む第２の制御装置と、
前記第２の電源装置の供給電圧が所定値以下である場合に前記異常信号を送信する第２の電源監視装置と、
を含む第２の情報処理装置と、
第１の電源装置の供給電圧が所定値以下である場合に前記異常信号を送信する第１の電源監視装置をさらに含む請求項２に記載の前記情報処理装置と、
を含む情報処理システム。
【請求項４】
第１のスイッチ手段により、第２の電源装置から電力の供給を受ける第２の電子装置が接続されているバスと、第１の電子装置とを接続し、切断指示を受信すると前記バスと前記第１の電子装置との間の接続を切断し、
前記第２の電源装置の供給電圧が所定値以下であることを表す異常信号を受信した場合、前記第１のスイッチ手段に前記切断指示を送信し、
前記第２の電源装置とは異なる第１の電源装置から電力の供給を受ける制御方法。
【請求項５】
第２の電源装置とは異なる第１の電源装置から電力の供給を受けるコンピュータを、
前記第２の電源装置から電力の供給を受ける第２の電子装置が接続されているバスと、第１の電子装置とを接続し、切断指示を受信すると前記バスと前記第１の電子装置との間の接続を切断する第１のスイッチ手段と、
前記第２の電源装置の供給電圧が所定値以下であることを表す異常信号を受信した場合、前記第１のスイッチ手段に前記切断指示を送信する第１の切断指示送信手段と
して動作させる制御プログラム。
【発明の詳細な説明】
【技術分野】
【０００１】
本発明は制御装置、制御方法、及び制御プログラムに関する。
【背景技術】
【０００２】
バスに接続された情報処理装置内で発生した障害が、同じバスに接続された他の情報処理装置に与える影響を減少させる装置の例が、特許文献１に記載されている。
【０００３】
特許文献１の装置は、システムバスと情報処理装置のデータバスとを接続する、バススイッチを含む。特許文献１の装置が含む内部回路は、装置内の障害を検出する。装置内に障害が検出されると、内部回路は、切替回路に、障害情報信号を送る。障害信号を受信した切替回路は、バススイッチに障害情報信号を送る。障害情報信号を受信したバススイッチは、オフになり、システムバスとデータバスとを切り離す。
【０００４】
特許文献２には、シリアルデータバスである装置内バスに接続される接続先装置が、シリアルデータバスの監視を行うシステムが記載されている。接続先装置の入力チェック部は、シリアルデータバスの異常を検出する。異常が検出された場合、入力チェック部は、入力チェック部が含まれる接続先装置内の、入力制御回路に通知を行う。入力制御回路は、シリアルデータバスが接続されているセレクタを制御して、装置内バスから接続先装置を切り離す。
【０００５】
特許文献３には、基準の電圧と電池セルの端子電圧とを比較することにより、電池セルの異常を検出する車両用直流電源装置が記載されている。
【０００６】
特許文献４には、プロセッサが二重化されたマルチプロセッサシステムが記載されている。
【先行技術文献】
【特許文献】
【０００７】
【特許文献１】特開２００２−１８２９４３号公報
【特許文献２】特開平９−２４４９６４号公報
【特許文献３】特開２００９−０８９４８８号公報
【特許文献４】特公昭６２−００２３３５号公報
【発明の概要】
【発明が解決しようとする課題】
【０００８】
特許文献１及び特許文献２の装置は、自装置内で発生した異常を検出する。そして、異常が検出された場合、特許文献１及び特許文献２の装置は、自装置が接続されているバスから自装置を切り離す。特許文献１及び特許文献２の装置は、例えば電源に発生した障害により正常な動作ができなくなった場合、自装置をバスから切り離すことはできなくなる。従って、特許文献１及び特許文献２の装置は、例えば電源に発生した障害により正常な動作ができなくなった場合、バスに不正な信号を送信する可能性や、バスに不正な電圧をかける可能性がある。その場合、特許文献１及び特許文献２の装置は、バスに不正な信号を送信することや、バスに不正な電圧をかけることにより、バスに接続されている他の装置に影響を与える。
【０００９】
また、特許文献３及び特許文献４に記載の技術では、障害が発生した装置をバスから切り離すことはできない。
【００１０】
特許文献１乃至４の技術では、バスに接続されている装置に異常が発生した場合、異常が発生した装置が、バスに接続されている他の装置に与える影響を軽減することはできない。
【００１１】
本発明の目的は、バスに接続されている装置に異常が発生した場合、異常が発生した装置が、バスに接続されている他の装置に与える影響を軽減する制御装置を提供することにある。
【課題を解決するための手段】
【００１２】
本発明の制御装置は、第２の電源装置から電力の供給を受ける第２の電子装置が接続されているバスと、第１の電子装置とを接続し、切断指示を受信すると前記バスと前記第１の電子装置との間の接続を切断する第１のスイッチ手段と、前記第２の電源装置の供給電圧が所定値以下であることを表す異常信号を受信した場合、前記第１のスイッチ手段に前記切断指示を送信する第１の切断指示送信手段とを含み、前記第２の電源装置とは異なる第１の電源装置から電力の供給を受ける。
【００１３】
本発明の制御方法は、第１のスイッチ手段により、第２の電源装置から電力の供給を受ける第２の電子装置が接続されているバスと、第１の電子装置とを接続し、切断指示を受信すると前記バスと前記第１の電子装置との間の接続を切断し、前記第２の電源装置の供給電圧が所定値以下であることを表す異常信号を受信した場合、前記第１のスイッチ手段に前記切断指示を送信し、前記第２の電源装置とは異なる第１の電源装置から電力の供給を受ける。
【００１４】
本発明の制御プログラムは、第２の電源装置とは異なる第１の電源装置から電力の供給を受けるコンピュータを、前記第２の電源装置から電力の供給を受ける第２の電子装置が接続されているバスと、第１の電子装置とを接続し、切断指示を受信すると前記バスと前記第１の電子装置との間の接続を切断する第１のスイッチ手段と、前記第２の電源装置の供給電圧が所定値以下であることを表す異常信号を受信した場合、前記第１のスイッチ手段に前記切断指示を送信する第１の切断指示送信手段として動作させる。
【発明の効果】
【００１５】
本発明には、バスに接続されている装置に異常が発生した場合、異常が発生した装置が、バスに接続されている他の装置に与える影響を軽減するができるという効果がある。
【図面の簡単な説明】
【００１６】
【図１】図１は、第１の実施形態の情報処理システム４の構成の例を表す図である。
【図２】図２は、第１の実施形態の情報処理システム４の構成の他の例を表す図である。
【図３】図３は、第１の実施形態の情報処理システム４の例である情報処理装置６の構成を表す図である。
【図４】図４は、第１の実施形態の制御装置１１の動作の例を表すフローチャートである。
【図５】図５は、装置内の電源の異常が検出された場合、システムバスと自装置との間の接続を遮断する装置を模式的に表す図である。
【図６】図６は、内部回路１０２による異常の検出のタイミングが遅れた場合の、電源１０１の電圧と、システムバス１０６のデータ信号の関係を表す図である。
【図７】図７は、第１の実施形態における、電源装置の電圧とバス３に流れるデータ信号の関係を表す図である。
【図８】図８は、第２の実施形態の制御装置１１の構成を表す図である。
【発明を実施するための形態】
【００１７】
次に、本発明の第１の実施の形態について図面を参照して詳細に説明する。
【００１８】
図１は、本実施形態の情報処理システム４の構成の例を表す図である。
【００１９】
図１を参照すると、情報処理システム４は、制御装置１１と、制御装置２１と、コントローラ１５と、コントローラ２５と、電源装置１６と、電源装置２６と、電源監視装置１７と、電源監視装置２７とを含む。
【００２０】
制御装置１１は、スイッチ部１２と、切断指示送信部１３と、異常信号受信部１４とを含む。
【００２１】
電源装置１６は、制御装置１１とコントローラ１５に電力を供給する。
【００２２】
制御装置２１は、スイッチ部２２と、切断指示送信部２３と、異常信号受信部２４とを含む。
【００２３】
電源装置２６は、制御装置２１とコントローラ２５に電力を供給する。
【００２４】
コントローラ１５と、コントローラ２５は、例えばプロセッサである。コントローラ１５と、コントローラ２５は、互いを接続するバスを経由して通信を行う、供給された電力により動作する電子装置であればよい。
【００２５】
バス３と、バス１８と、バス２８は、例えばデータバスである。コントローラ１５とスイッチ部１２は、バス１８によって接続されている。コントローラ２５とスイッチ部２２は、バス２８によって接続されている。スイッチ部１２とスイッチ部２２は、バス３によって接続されている。スイッチ部１２は、通常状態では、バス１８とバス３を接続することにより、コントローラ１５をバス３に接続する。また、スイッチ部２２は、通常状態では、バス２８とバス３を接続することにより、コントローラ２５をバス３に接続する。通常状態では、コントローラ１５とコントローラ２５は、バス１８と、スイッチ部１２と、バス３と、スイッチ部２２と、バス２８とを介して接続されている。
【００２６】
例えば、電源装置２６に、電圧低下などの異常が発生した場合、電源装置２６から電力の供給を受ける制御装置２１とコントローラ２５は、その異常の影響を受ける。発生した異常により、コントローラ２５が正常に動作しなくなった場合、コントローラ２５は、コントローラ２５が接続されているバス２８に、異常な信号を送信する可能性や、異常な電圧をかける可能性がある。この場合、バス２８と、バス３と、バス１８が接続されていれば、異常な信号や、異常な電圧は、バス２８とバス３とバス１８とを経由して、コントローラ１５に伝達される。すなわち、電源装置２６に発生した異常の影響は、コントローラ２５と、バス２８と、バス３と、バス１８とを経由して、コントローラ１５に及ぶ。この場合、コントローラ１５や電源装置１６に異常が発生していなくても、電源装置２６に発生した異常の影響により、コントローラ１５が誤動作する可能性や、故障する可能性がある。
【００２７】
電源監視装置１７は、電源装置１６を監視し、電源装置１６の異常を検出する。電源装置１６の異常が検出された場合、電源監視装置１７は、異常信号受信部２４に、異常信号を送信する。例えば、電源監視装置１７は、電源装置１６の出力が、定格電圧を含む正常な範囲内に含まれているか否かを監視する。そして、電源監視装置１７は、電源装置１６の出力が、正常な範囲に含まれなくなった場合、異常を検出する。
【００２８】
そして、電源監視装置１７は、例えば、電源装置１６に異常が検出されていない場合、所定電圧の正常信号を異常信号受信部２４に送信する。電源装置１６に異常が検出された場合、電源監視装置１７は、正常信号とは異なる電圧の異常信号を異常信号受信部２４に送信する。電源監視装置１７は、例えば、電源装置１６の出力電圧が正常な範囲内である場合、０以外の所定電圧の、１やＨｉｇｈを表す信号を送信し、電源装置１６の出力電圧が正常な範囲を下回る場合、０やＬｏｗを表す電圧０の信号を送信する、既存の回路により実現される。この場合、０以外の所定電圧の信号が、正常信号である。また、電圧がＨｉｇｈの電圧０の信号が、異常信号である。電源装置１６の出力電圧の正常な範囲は、電源装置１６に応じて、情報処理システム４の管理者などにより、電源監視装置１７に予め設定されていればよい。また、電源装置１６が、電源監視装置１７の機能を含んでいてもよい。その場合、電源装置１６が、電源装置１６の異常を検出した場合、異常信号を送信してもよい。そして、後述の異常信号受信部２４は、電源装置１６から異常信号を受信してもよい。
【００２９】
電源監視装置２７は、電源装置２６を監視し、電源装置２６の異常を検出する。電源装置２６の異常が検出された場合、電源監視装置２７は、異常信号受信部１４に、異常信号を送信する。例えば、電源監視装置２７は、電源装置２６の出力が、定格電圧を含む正常な範囲内に含まれているか否かを監視する。そして、電源監視装置２７は、電源装置２６の出力が、正常な範囲に含まれなくなった場合、異常を検出する。
【００３０】
そして、電源監視装置２７は、例えば、電源装置２６に異常が検出されていない場合、所定電圧の正常信号を異常信号受信部１４に送信する。電源装置２６に異常が検出された場合、電源監視装置２７は、正常信号とは異なる電圧の異常信号を異常信号受信部１４に送信する。電源監視装置２７は、例えば、電源装置２６の出力電圧が正常な範囲内である場合、１やＨｉｇｈを表す所定電圧の信号を送信し、電源装置２６の出力電圧が正常な範囲を下回る場合、０やＬｏｗを表す電圧０の信号を送信する、既存の回路により実現される。電源装置２６の出力電圧の正常な範囲は、電源装置２６に応じて、情報処理システム４の管理者などにより、電源監視装置２７に予め設定されていればよい。また、電源装置２６が、電源監視装置２７の機能を含んでいてもよい。その場合、電源装置２６が、電源装置２６の異常を検出した場合、異常信号を送信してもよい。そして、後述の異常信号受信部１４は、電源装置２６から異常信号を受信してもよい。
【００３１】
なお、電源監視装置１７及び電源監視装置２７による異常信号の送信方法は、以上の方法に限られない。
【００３２】
異常信号受信部１４は、電源監視装置２７から、異常信号を受信する。異常信号受信部１４と電源監視装置２７は、専用の信号線で接続されていてもよい。
【００３３】
異常信号受信部１４が異常信号を受信した場合、切断指示送信部１３は、スイッチ部１２に対して、切断指示を送信する。切断指示装置１３が異常信号受信部１４の機能を含み、異常信号受信部１４としても動作してもよい。
【００３４】
例えば、電源装置２６に異常が発生しておらず、異常信号受信部１４が電源監視装置２７から異常信号を受信していない通常状態では、切断指示送信部１３は、所定の電圧の信号をスイッチ部１２に送信していてもよい。そして、異常信号受信部１４が電源監視装置２７から異常信号を受信した場合、切断指示送信部１３は、スイッチ部１２に送信する信号の電圧を、通常状態でスイッチ部１２に送信する信号の電圧と異なる電圧に切り替えることで、切断指示を送信してもよい。
【００３５】
スイッチ部１２は、切断指示を受信すると、コントローラ１５が接続されているバス１８とバス３との間の接続を切断する。切断指示を受信した場合、スイッチ部１２は、例えば、ハイインピーダンス状態に遷移することで、バス１８とバス３の間の信号を遮断すればよい。
【００３６】
異常信号受信部２４は、電源監視装置１７から、異常信号を受信する。異常信号受信部２４と電源監視装置１７は、専用の信号線で接続されていてもよい。
【００３７】
異常信号受信部２４が異常信号を受信した場合、切断指示送信部２３は、スイッチ部２２に対して、切断指示を送信する。切断指示装置２３が異常信号受信部２４の機能を含み、異常信号受信部２４としても動作してもよい。
【００３８】
この場合の切断指示送信部２３によるスイッチ部２２に対する切断指示の送信方法は、異常信号受信部１４が電源監視装置２７から異常信号を受信した場合の、切断指示送信部１３によるスイッチ部１２に対する切断指示の送信方法と同じでよい。
【００３９】
スイッチ部２２は、切断指示を受信すると、コントローラ２５が接続されているバス２８とバス３との間の接続を切断する。切断指示を受信した場合、スイッチ部２２は、例えば、スイッチ部１２と同様にハイインピーダンス状態に遷移することで、バス２８とバス３の間の信号を遮断すればよい。
【００４０】
図２は、本実施形態の情報処理システム４の構成の他の例を表す図である。
【００４１】
図２を参照すると、情報処理装置１が、制御装置１１とコントローラ１５と、電源装置１６と、電源監視装置１７を含む。情報処理装置１は、電源装置１６を含まず、電源装置１６に接続されていてもよい。また、情報処理装置２が、制御装置２１とコントローラ２５と、電源装置２６と、電源監視装置２７を含む。情報処理装置２は、電源装置２６を含まず、電源装置２６に接続されていてもよい。そして、情報処理装置１と情報処理装置２は、バス３を介して、データのやりとりを行う。
【００４２】
情報処理装置１と情報処理装置２は、例えば、共に一つの装置内に含まれ、その装置の内部のさまざまな障害を検出する障害処理装置であってもよい。障害処理装置は、障害が検出された部分の切り離しを行ってもよい。障害検出装置は、障害検出装置が含まれる装置の、表示装置などの出力装置に、検出された障害の情報を表示してもよい。また、バス３により接続された２台の障害処理装置は、バス３を介して、障害の情報を、相互に送信及び受信することにより、検出された障害の情報を共有してもよい。
【００４３】
図３は、本実施形態の情報処理システム４の例である情報処理装置６の構成を表す図である。
【００４４】
図３を参照すると、情報処理装置６は、情報処理部５と、障害処理装置１Ａと、障害処理装置２Ａと、電源装置１６と、電源監視装置１７を含む。報処理装置６は、上述の、２台の障害処理装置を含む装置の例である。
【００４５】
情報処理部５は、情報処理装置６のプロセッサである。
【００４６】
障害処理装置１Ａは、図２の情報処理装置１である。この例の障害処理装置１Ａは、電源装置１６を含まず、電源装置１６に接続されている。また、障害処理装置１Ａが含む電源監視装置１７は、電源装置１６の監視を行う。障害処理装置１Ａは、バス３を介して、障害処理装置２Ａに接続されている。
【００４７】
障害処理装置２Ａは、図２の情報処理装置２である。この例の障害処理装置２Ａは、電源装置２６を含まず、電源装置２６に接続されている。また、障害処理装置２Ａが含む電源監視装置２７は、電源装置２６の監視を行う。
【００４８】
本実施形態の情報処理システム４は、図２や図３の例に限られない。
【００４９】
次に、本実施形態の動作について、図面を参照して詳細に説明する。
【００５０】
図４は、本実施形態の制御装置１１の動作の例を表すフローチャートである。
【００５１】
電源装置２６に異常が発生していない場合、電源監視装置２７は、異常信号受信部１４に異常信号を送信しない。異常信号受信部１４が異常信号を受信していない場合（ステップＳ１０１、Ｎ）、制御装置１１は待機を続ける。
【００５２】
電源監視装置２７が、電源装置２６に発生した異常を検出した場合、電源監視装置２７は、異常信号受信部１４に異常信号を送信する。
【００５３】
異常信号受信部１４が電源監視装置２７から異常信号を受信した場合（ステップＳ１０１、Ｙ）、切断指示送信部１３は、スイッチ部１２に、切断指示を送信する（ステップＳ１０２）。
【００５４】
切断指示を受信したスイッチ部１２は、コントローラ１５が接続されているバス１８と、バス３との間の接続を切断する（ステップＳ１０３）。すなわちスイッチ部１２は、コントローラ１５と、バス３との間の接続を切断する。前述のように、バス３には、異常が発生した電源装置２６から電力の供給を受けるコントローラ２５が接続されている。このことにより、スイッチ部１２は、電源装置２６に発生した異常の、コントローラ１５に対する影響を遮断する。
【００５５】
制御装置２１の動作は、スイッチ部１２と切断指示送信部１３と異常信号受信部１４と電源監視装置２７と電源装置２６を、それぞれ、スイッチ部２２と切断指示送信部２３と異常信号受信部２４と電源監視装置１７と電源装置１６に置き換えた、図４の動作と同じである。
【００５６】
異常で説明した本実施形態には、バス３に接続されている装置に異常が発生した場合、異常が発生した装置が、バス３に接続されている他の装置に与える影響を軽減するができるという効果がある。
【００５７】
その理由は、異常信号受信部１４が、電源装置２６の異常を表す異常信号を電源監視装置２７から受信した場合、切断指示送信部１３が、スイッチ部１２に切断指示を送信するからである。切断指示を受信したスイッチ部１２は、バス３とコントローラ１５の間の接続を切断する。
【００５８】
前述のように、電源装置２６に異常が発生することにより異常な状態になったコントローラ２５は、バス３に、異常な信号を送信したり、異常な電圧をかけたりする可能性がある。スイッチ３がバス３とコントローラ１５の間の接続を切断することにより、バス３に接続され、異常な状態になったコントローラ２５が、同じバス３に接続されているコントローラ１５に与える影響を軽減することができる。
【００５９】
第１の実施形態に効果について、さらに詳しく説明する。
【００６０】
図５は、特許文献１に記載されている、装置内の電源の異常が検出された場合、システムバスと自装置との間の接続を遮断する装置を模式的に表す図である。
【００６１】
図５の装置１００は、電源１０１と、内部回路１０２と、切替回路１０３と、バススイッチ１０４を含む。内部回路１０２と、バススイッチ１０４は、データバス１０５によって接続されている。バススイッチ１０４は、通常状態では、データバス１０５とシステムバス１０６を接続している。内部回路１０２は、電源１０１の異常を検出する。異常が検出された場合、内部回路１０２は、切替回路１０３に、異常が検出されたことを表す障害情報信号を送信する。障害情報信号は、第１の実施形態の異常信号に対応する。切替回路１０３は、障害情報信号を受信すると、バススイッチ１０４に、切替指示を送信する。切替指示を受信したバススイッチ１０４は、データバス１０５とシステムバス１０６の間の接続を、ハイインピーダンス状態にすることにより、遮断する。また、電源１０１は、内部回路１０２と、切替回路１０３と、バススイッチ１０４に電力を供給する。内部回路１０２と、切替回路１０３と、バススイッチ１０４は、電源１０１が供給する電力により動作する。
【００６２】
内部回路１０２は、本実施形態のコントローラ１５やコントローラ２５に対応する。バススイッチ１０４は、本実施形態のスイッチ部１２やスイッチ部２２に対応する。切替回路１０３は、異常信号受信部１４及び切断指示送信部１３に対応する。また、内部回路１０２は、装置１００の電源１０１の異常を検出する電源監視装置として動作する。
【００６３】
図５の装置１００は、装置１００内の電源１０１に発生した異常が検出された場合、装置１００の内部回路１０２とシステムバス１０６を接続するバススイッチ１０４をオフにすることによって、システムバス１０６から内部回路１０２を切り離す。しかし、電源１０１に異常が発生した場合、電源１０１から電力が供給されて動作する、内部回路１０２と切替回路１０３とバススイッチ１０４は、通常は正常に動作しなくなる。その場合、切替回路１０３は、データバス１０５とシステムバス１０６を接続するバススイッチ１０４をオフにできなくなる可能性がある。その場合、装置１００は、電源１０１に発生した異常が、システムバス１０６に接続されている他の装置に影響を与えることを防ぐことはできない。また、電源１０１の異常に伴う、切替回路１０３の動作の異常や、内部回路１０２による電源１０１の異常の検出の遅れにより、切替回路１０３がデータバス１０５とシステムバス１０６を接続するバススイッチ１０４をオフにするタイミングが遅くなることもある。その場合、電源１０１に発生した異常が、システムバス１０６に接続されている他の装置に影響を与える時間が長くなる。
【００６４】
図６は、内部回路１０２による異常の検出のタイミングが遅れた場合の、電源１０１の電圧と、システムバス１０６のデータ信号の関係を表す図である。
【００６５】
電源１０１の電圧値が、定格電圧を中心とする正常動作範囲に入っていれば、電源１０１は正常な状態である。電源１０１の電圧値が、定格電圧を中心とする正常動作範囲に入らなければ、電源１０１は異常な状態である。
【００６６】
図６の例では、電源１０１の電圧値は、時間の経過と共に低下し、時刻Ｔ１に正常動作範囲から外れる。そして、時刻Ｔ２において、内部回路１０２からデータバス１０５とバススイッチ１０４を経由してシステムバス１０６に流れるデータ信号が、異常な状態になる。内部回路１０２が電源１０１の異常を検出して障害情報信号を切替回路１０３に送信し、切替回路１０３が切替指示をバススイッチ１０４に送信することにより、バススイッチ１０４がオフになる時刻が、時刻Ｔ３である。時刻Ｔ３に、バススイッチ１０４がハイインピーダンス状態になることにより、バススイッチ１０４はオフになる。Ｈｉ−Ｚは、バススイッチ１０４がハイインピーダンス状態であることを表す。
【００６７】
図６の例では、時刻Ｔ２から時刻Ｔ３までの間、システムバス１０６に異常なデータ信号が流れている。なお、電源１０１の異常により、内部回路１０２と、切替回路１０３と、バススイッチ１０４の少なくともいずれかが動作しなくなると、時刻Ｔ３以降、システムバス１０６に異常なデータ信号が流れ続ける。
【００６８】
図７は、本実施形態における、電源装置の電圧とバス３に流れるデータ信号の関係を表す図である。
【００６９】
図７の、装置１００ではデータ信号異常状態である期間は、電源１０１の電圧が図７の電源電圧のように変動した場合に、システムバス１０６に異常なデータ信号が流れる期間である。また、時刻Ｔ４は、電源１０１の電圧が図７の電源電圧のように変動した場合に、バススイッチ１０４がオフになる時刻を表す。
【００７０】
一方、異常信号は、例えば電源装置２６の電圧が、図７の電源電圧値のように変動した場合に、電源監視装置２７が異常信号受信部１４に送信する異常信号である。また、データ信号が「ガード」である期間は、スイッチ部１２がバス３とバス１８との間の接続を切断している期間である。
【００７１】
このように、本実施形態の制御装置１１は、バス３に接続されているコントローラ２５に電力を供給する電源装置２６に発生した異常の、バス３に接続されているコントローラ１５に対する影響を、軽減することができる。
【００７２】
また、本実施形態には、情報処理システム４の保守が容易になると言う第２の効果がある。
【００７３】
その理由は、電源装置の異常を検出した電源監視装置が、他の電源装置から電力の供給を受ける制御装置の異常信号受信部１４に、異常信号を送信するからである。電源装置２６に異常が発生した場合、電源装置２６の異常を検出した電源監視装置２７が、電源装置１６から電力の供給を受ける制御装置１１の異常信号受信部１４に、異常信号を送信する。そして、その場合、切断指示送信部１３が、スイッチ部１２に切断指示を送信する。切断指示を受信したスイッチ部１２は、異常が発生した電源装置２６から電力の供給を受けるコントローラ２５が接続されているバス３と、異常が発生していない電源装置１６から電力の供給を受けるコントローラ１５との間の接続を切断する。異常が発生していない電源装置１６から電力の供給を受けるコントローラ１５は、バス３を伝搬する異常なデータ信号により誤動作することが無くなるので、異常が発生した電源装置の特定が容易になる。また、情報処理システム４が、異常信号を受信した異常信号受信部１４が、コントローラ１５にも通知を行うよう構成されていれば、コントローラ１５が、電源装置２６に異常が発生したことを把握することが可能になる。さらに、コントローラ１５が、電源装置２６に異常が発生したことを、例えば情報処理システム４の図示されない出力装置に出力することもできる。情報処理システム４がこのように構成されていれば、異常が発生した電源装置の特定が容易になる。
【００７４】
次に、本発明の第２の実施形態について、図面を参照して詳細に説明する。
【００７５】
図８は、本実施形態の制御装置１１の構成を表す図である。
【００７６】
図８を参照すると、本実施形態の制御装置１１は、第２の電源装置２６から電力の供給を受ける第２の電子装置２５Ａが接続されているバス３と、第１の電子装置１５Ａとを接続し、切断指示を受信すると前記バス３と前記第１の電子装置１５Ａとの間の接続を切断する第１のスイッチ部１２と、前記第２の電源装置２６の供給電圧が所定値以下であることを表す異常信号を受信した場合、前記第１のスイッチ部１２に前記切断指示を送信する第１の切断指示送信部１３とを含み、前記第２の電源装置２６とは異なる第１の電源装置１６から電力の供給を受ける。
【００７７】
異常で説明した本実施形態には、第１の実施形態と同じ効果がある。
【００７８】
その理由は、第１の実施形態の効果と同じである。
【００７９】
制御装置１１、制御装置２１、情報処理装置１、情報処理装置２、情報処理装置６、コントローラ１５、コントローラ２５、電源監視装置１７、電源監視装置２７は、それぞれ、コンピュータ及びコンピュータを制御するプログラム、専用のハードウェア、又は、コンピュータ及びコンピュータを制御するプログラムと専用のハードウェアの組合せにより実現することができる。
【００８０】
スイッチ部１２、切断指示送信部１３、異常信号受信部１４は、例えば、プログラムを記憶する記録媒体からメモリに読み込まれた、各部の機能を実現するための専用のプログラムと、そのプログラムを実行するプロセッサにより実現することができる。あるいは、スイッチ部１２、切断指示送信部１３、異常信号受信部１４の一部又は全部を、各部の機能を実現する専用の回路によって実現することもできる。
【００８１】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００８２】
１、２、６    情報処理装置
１Ａ、２Ａ    障害処理装置
３、１８、２８    バス
４    情報処理システム
５    情報処理部
１１、２１    制御装置
１２、２２    スイッチ部
１３、２３    切断指示送信部
１４、２４    異常信号受信部
１５、２５    コントローラ
１５Ａ    第１の電子装置
１６、２６    電源装置
１６Ａ    第１の電源装置
１７、２７    電源監視装置
２５Ａ    第２の電子装置
２６Ａ    第２の電源装置
１００    装置
１０１    電源
１０２    内部回路
１０３    切替回路
１０４    バススイッチ
１０５    データバス
１０６    システムバス
【図１】
2014164488.tif 000003
【図２】
2014164488.tif 000004
【図３】
2014164488.tif 000005
【図４】
2014164488.tif 000006
【図５】
2014164488.tif 000007
【図６】
2014164488.tif 000008
【図７】
2014164488.tif 000009
【図８】
2014164488.tif 000010